(57)【要約】  ガス発生器（１２）とガス発生器（１２）により生成されたガス流（Ｆ）により回転駆動されるフリータービン（１４）とを備える、特にヘリコプタ用のターボシャフトエンジン（１０）に関する。ターボシャフトエンジン（１０）はさらに、ターボシャフトエンジン（１０）の加速段階でシャフト（１８）に多量の追加の回転運動エネルギーを提供するための、またはターボシャフトエンジン（１０）の減速段階でシャフト（１８）から多量の回転運動エネルギーを分岐するための、ガス発生器（１２）のシャフト（１８）に結合されたモータ／発電機（３０）を含む。
2010523879.tif 000002
【特許請求の範囲】
【請求項１】
ガス発生器（１２）とガス発生器により生成されたガス流（Ｆ）により回転駆動されるフリータービン（１４）とを備える、特にヘリコプタ用のタービンエンジン（１０）であって、タービンエンジンがさらに、蓄電ユニット（３２）に電気的に接続され、かつガス発生器（１２）のシャフト（１８）に機械的に結合された電気モータ／発電機（３０）を含み、蓄電ユニットが、第１に、タービンエンジンの加速段階でモータ／発電機（３０）に電力を供給してシャフト（１８）に多量の追加の回転運動エネルギーを提供し、第２に、タービンエンジンの減速段階でモータ／発電機（３０）によりガス発生器のシャフトから取り出された多量の運動エネルギーを電気エネルギーの形で蓄えることができることを特徴とする、タービンエンジン（１０）。
【請求項２】
蓄電ユニット（３２）がさらに、フリータービン（１４）のシャフト（１６）に結合された第１の発電機により再充電可能であることを特徴とする、請求項１に記載のタービンエンジン（１０）。
【請求項３】
モータ／発電機（３０）と蓄電ユニット（３２）との間に位置付けられるコンバータおよび電子制御装置をさらに含むことを特徴とする、請求項１または２に記載のタービンエンジン（１０）。
【請求項４】
蓄電ユニット（３２）が、バッテリ、またはスーパーキャパシタ群、またはその両方の組み合わせであることを特徴とする、請求項１から３のいずれか一項に記載のタービンエンジン（１０）。
【請求項５】
モータ／発電機が、タービンエンジンの作動時にガス発生器を作動するためのものであることを特徴とする、請求項１から４のいずれか一項に記載のタービンエンジン（１０）。
【発明の詳細な説明】
【技術分野】
【０００１】
本発明は、ガスタービンの分野に関し、特に、ヘリコプタなどの航空機用のタービンエンジンの分野に関する。
【０００２】
より詳細には、本発明は、特にヘリコプタ用のタービンエンジンで、ガス発生器およびガス発生器により生成されるガス流により回転駆動されるフリータービンを含むタービンエンジンに関する。
【背景技術】
【０００３】
従来技術では、ガス発生器は、一緒に回転結合される少なくとも１つの遠心圧縮機とタービンとを備える。動作は以下の通りである。タービンエンジンに流入する冷気が燃焼室に送られる前に圧縮機の回転により圧縮され、燃焼室で燃料と混合される。その後、燃焼室からの燃焼ガスはガス発生器のタービンの方に向かって高速で排気される。
【０００４】
その後、第１の膨張がガス発生器のタービンで発生し、その膨張時に、上記タービンは圧縮機の駆動に必要なエネルギーを抽出する。
【０００５】
ガス発生器のタービンは燃焼ガスのエネルギーの全てを吸収せず、余分のエネルギーはガス発生器により生成されるガス流を構成する。
【０００６】
したがって、上記ガス発生器はフリータービンに運動エネルギーを提供し、その結果、フリータービンで第２の膨張が発生して、ヘリコプタのロータなどの受け取りユニットを駆動させるためにガスからのエネルギーを回転運動エネルギーに変換する。
【０００７】
当然、タービンエンジンは設定範囲内で動作するようになされ、タービンエンジンは、主に燃焼室に噴射される燃料の流量に従って動作することにより、その設定範囲内に保たれる。
【０００８】
したがって、タービンエンジンの加速の段階は、特に飛行中は、パイロットからの動力要求にしたがって、燃焼室に噴射される燃料の流量は増加し、このことが生成されるガス流を増加させ、その結果、フリータービンに供給される動力を増大させる効果がある。
【発明の概要】
【発明が解決しようとする課題】
【０００９】
しかし、タービンエンジンを損傷するサージ現象を避けるために、加速は特定の範囲内で行われなければならない。この現象は急激な加速時に発生する可能性があり、この加速時に、燃料の流量が多すぎるために、燃焼室から下流側の圧力は上流側の圧力、すなわち、圧縮機により供給される圧縮空気の圧力よりも高くなる。このような条件では、第１の膨張は下流側だけでなく上流側でも発生し、その結果、燃焼ガスの流量は０になり、圧縮機の圧力は下がる。
【００１０】
サージ現象は、タービンエンジンを構成する部品およびタービンエンジンにより供給される動力に弊害をもたらす可能性があることはよく知られた事実である。
【００１１】
加速の過渡段階には燃料の流量の著しい増加が必要であるので、通常、タービンエンジンがその動作範囲内でサージングせずに動作するのに十分な大きさのマージン（サージマージンとして知られている）が設定される。
【００１２】
したがって、このようなタービンエンジンの加速性能は、そのタービンエンジンのサージマージンによって制限されることがわかる。
【００１３】
本発明の目的は、より優れた加速性能を有し、かつ従来技術のタービンエンジンと同じサージマージンを有するヘリコプタのタービンエンジンを提供することである。
【課題を解決するための手段】
【００１４】
本発明は、タービンエンジンの加速段階でさらに多量の回転運動エネルギーをシャフトに供給するために、ガス発生器シャフトの結合される補助モータをさらに含むことにより、上記の目的を達成することができる。
【００１５】
ガス発生器シャフトとは、圧縮機とタービンとが取り付けられるシャフトである。
【００１６】
本発明の意味では、補助モータは燃焼室とガス発生器のタービン（単数または複数）とで構成されるアセンブリとは完全に別個のものである、すなわち、モータはガス発生器の補助的な要素を構成する。
【００１７】
したがって、タービンエンジンの加速をアシストするための手段を形成することにより、補助モータは、加速段階でガス発生器に追加のトルクを供給するのに適した形となる。このことにより、タービンエンジンの全体の加速は、燃料の流量を増加させることにより、また補助モータが追加のトルクを供給することにより有利に得られる。
【００１８】
有利には、補助モータがあることによって、補助モータが余分に加速するので、タービンエンジンを加速するために燃料の流量を増加させる必要が少なくなる。
【００１９】
したがって、本発明のタービンエンジンは、従来技術のタービンエンジンより加速度レベルが大きく、かつ同じサージマージンを有することは理解すべきである。
【００２０】
あるいは、本発明の別の利点は、より小さいサージマージンを有するタービンエンジンを設計できることである。これにより、有利にタービンエンジンのサイズを小さくすることができる。
【００２１】
さらに、本発明を使用して、加速に必要な燃料の過剰な流量が低減され、タービンエンジンの高温部分の温度が有利に下げられることも理解すべきである。
【００２２】
最後に、本発明のタービンエンジンは、ヘリコプタがどのような高度でも、有利に一定の加速レベルをもたらすのに適したものである。
【００２３】
第１の実施形態では、補助モータは電気モータである。
【００２４】
第１の変形形態では、補助モータは、バッテリにより動力が供給される。
【００２５】
別の有利な変形形態では、電気モータは、フリータービンにより回転駆動される第１の発電機により電力が供給される。
【００２６】
このような条件では、回転運動を電気に変換するのに適した発電機は、フリータービンのシャフトのトルクのわずかな分だけ取り出すように寸法決めされる。当然、トルクの主な部分はヘリコプタのロータ（単数または複数）を回転駆動するためのものである。
【００２７】
また、発電機は、必要に応じて、ブースタのバッテリと結合される場合がある。
【００２８】
別の有利な変形形態では、電気モータはヘリコプタのロータにより回転駆動される第１の発電機により電力が供給される。
【００２９】
これを実現するために、第１の発電機は、ロータの全回転エネルギーに匹敵するロータからの多量の回転運動エネルギーを取り出して、その回転運動エネルギーをガス発生器シャフトに結合される電気補助モータに電力を供給するための電気に変換する。
【００３０】
ヘリコプタのロータはかなり大きな慣性のフライホイールとして働き、その結果、ロータからエネルギーを取り出すことがヘリコプタの飛行をあまり妨げることはない。
【００３１】
別の実施形態では、補助モータは油圧モータである。
【００３２】
また、先行技術のタービンエンジンの動作の上述した状況においては、減速は、実質的には燃料の流量を減少させることにより行われる。
【００３３】
加速と同様に、減速は特定の設定範囲内で行われなければならない。
【００３４】
さらにフレームアウトマージンがとられるほど、急激な燃料の流量の減少はタービンエンジンのフレームアウトにつながる場合がある。
【００３５】
したがって、先行技術では、ヘリコプタに供給された動力はエンジンのフレームアウトの危険性があるためにあまりにも急激に低減されてはならないことは理解すべきである。
【００３６】
本発明の別の目的は、より優れた減速性能を示すタービンエンジンを提供することである。
【００３７】
本発明は、本発明のタービンエンジンがさらに、タービンエンジンの減速段階でガス発生器シャフトから多量の回転運動エネルギーを取り出すための減速アシスト手段を含むことにより上記の目的を達成することができる。
【００３８】
これらのアシスト手段は補助的である、すなわち、燃焼室とガス発生器のタービンとにより形成されるアセンブリとは別個のものである。
【００３９】
さらに、これらのアシスト手段は、ガス発生器シャフトの回転エネルギーを減少させることにより、タービンエンジンを減速するのに寄与する。言い換えれば、これらのアシスト手段は、一種の機械ブレーキとして働く。
【００４０】
したがって、本発明を使用して、燃料の流量を過度に減らさずに、すなわち、タービンエンジンの停止の危険を冒さずに、ガス発生器のシャフトの回転スピードをより急速に低下させることが可能である。
【００４１】
有利な方法で、減速アシスト手段は、ガス発生器シャフトに接続された第２の発電機を含む。
【００４２】
減速段階では、第２の発電機は、ガス発生器シャフトの回転エネルギーの一部を取り出して、そのエネルギーを電気に変換するように作動される。
【００４３】
好ましくは、必ずしもとは限らないが、減速アシスト手段はさらに、発電機により取り出された運動エネルギーを電気の形で蓄えるための蓄電ユニットを含む。
【００４４】
したがって、蓄えられたエネルギーは、ヘリコプタの電気装置により、特に有利な形では、補助電気モータにより再利用される。この例では、蓄電ユニットは、有利には、補助電気モータのバッテリを構成することができる。
【００４５】
言い換えれば、減速段階で蓄電ユニットにより蓄えられたエネルギーは、有利には、加速段階で補助電気モータに電力を供給するのに使用される。
【００４６】
有利には、減速アシスト手段はさらにヘリコプタのロータに接続される第２のモータを含む。この第２のモータは発電機により電力を供給され、発電機により取り出された運動エネルギーの量がヘリコプタのロータ内で回転運動エネルギーの形で蓄えられるようにする。
【００４７】
したがって、減速段階で、ガス発生器シャフトに接続された第２の発電機により供給された電気は、ロータに接続される第２のモータにより機械エネルギーに変換される。この機械エネルギーは、フライホイールとして働くロータ内に蓄えられる。
【００４８】
さらにより有利には、補助モータはさらに発電機として動作することもでき、減速アシスト手段はこのモータを発電機として動作することを含むことができる。
【００４９】
別の有利な実施形態では、ロータに接続される第２のモータはさらに、ガス発生器シャフトに接続される補助モータに電力を供給するための発電機として動作することも可能である。
【００５０】
本発明の別の変形形態では、減速アシスト手段はさらに、ガス発生器シャフトに結合される油圧ポンプを含む。
【００５１】
本発明は、非限定的な例として挙げられた一実施形態の以下の説明を読めば、よりよく理解され、本発明の利点がより明らかになる。説明は、添付図面を参照するものである。
【図面の簡単な説明】
【００５２】
【図１】追加の回転運動エネルギーを提供するためにガス発生器シャフトに結合された補助モータを含む、本発明のヘリコプタタービンエンジンを示す図である。
【図２】ガス発生器シャフトに供給されたエネルギーがロータから取り出され、ガス発生器シャフトから取り出されたエネルギーがロータ内に蓄えられる、本発明の第２の実施形態を示す図である。
【図３】補助モータが油圧モータであり、減速アシスト手段が油圧ポンプを含む、本発明の第３の実施形態を示す図である。
【発明を実施するための形態】
【００５３】
図１は、本発明の第１の実施形態を構成し、特に、ヘリコプタロータ（図示せず）を回転駆動するためのタービンエンジン１０を示す図である。タービンエンジン１０は、ガス発生器１２と、ガス発生器１２により生成されるガス流Ｆにより回転駆動可能なフリータービン１４とを備える。
【００５４】
フリータービン１４は、回転運動をヘリコプタのメインロータなどの受け取りユニットに伝達するシャフト１６に取り付けられる。
【００５５】
図１に示されたタービンエンジン１０は、後方動力取出タイプのエンジンである。本発明の範囲を逸脱せずに、外側シャフトによる伝達の前方動力取出タイプのフリータービンを有するタービンエンジン、または同軸シャフトによる伝達の前方動力取出タイプのフリータービンを有するタービンエンジンを考慮することも可能である。
【００５６】
ガス発生器は、遠心圧縮機２０が取り付けられた回転シャフト１８と、タービン２２と、ガス発生器１２を回転シャフト１８の軸に沿って見たときに圧縮機２０とタービンとの間で軸方向に配置される燃焼室２０とを含む。
【００５７】
タービンエンジン１０は、冷気がガス発生器１２に流入する空気吸入口２８を備えたケーシング２６を有する。
【００５８】
冷気は、ガス発生器１２のエンクロージャに流入した後、遠心圧縮機２０により圧縮され、その冷気は燃焼室２４の入口へ送られ、燃焼室２４で燃料と混合される。
【００５９】
燃焼室２４で発生する燃焼により燃焼ガスが高速でタービン２２に向かって排気され、これによりガス発生器１２のシャフト１８を駆動する効果があり、ひいては遠心圧縮機２０を回転駆動する効果がある。
【００６０】
ガス発生器１２のシャフト１８の回転速度は、燃焼室２４に流入する燃料の流量によって決まる。
【００６１】
タービン２２により抽出される運動エネルギーはあるにしても、ガス発生器からのガス流Ｆはかなりの量のエネルギーになる。
【００６２】
図１からわかるように、ガス流Ｆはフリータービン１４に向けられ、これによりガスがフリータービン１４内で膨張して、タービンホイールおよびシャフト１６が回転を始める。
【００６３】
本発明によれば、タービンエンジンは、有利には、ガス発生器１２のシャフト１８の一端部に結合された補助モータ３０を含む。
【００６４】
図１に示された第１の実施形態では、補助モータ３０は蓄電ユニット３２により電力を供給される電気モータであり、好ましくは、バッテリ、スーパーキャパシタ群、または両方の組み合わせを備えるタイプの電気モータである。
【００６５】
タービンエンジンの加速時に、モータ３０は、有利には、追加の回転運動エネルギーをガス発生器１２のシャフト１８に提供するように作動される。したがって、ガス発生器のシャフトの加速は補助モータ３０によりアシストされる。
【００６６】
その後、ガス発生器のシャフト１８の速度はより急激に増加し、その結果、フリータービン１４のシャフト１６を加速するために、タービン１４から得られる動力は急激に増加する。
【００６７】
特に有利な形では、補助モータ３０により供給された追加のトルクはロータの加速度を増加させることができ、その結果、ヘリコプタの操縦性は改善される。
【００６８】
有利な形では、電気モータ３０は、フリータービン１４のシャフト１６に結合された第１の発電機３４により電力を供給されてもよい。
【００６９】
好ましくは、第１の発電機３４はさらに、蓄電ユニット３２を充電することができるように蓄電ユニット３２に接続される。
【００７０】
図１に示されたタービンエンジン１０はさらに、タービンエンジン１０の減速時にガス発生器１２のシャフト１８から多量の回転運動エネルギーを取り出すための減速アシスト手段を備える。
【００７１】
これらの減速手段は、第２の発電機を備える。第２の発電機は、好ましくは、必ずしもとは限らないが、電機モータ３０により構成される。
【００７２】
本発明の範囲から逸脱せずに、モータ３０とは別個のユニットの形の第２の発電機に提供するのも可能である。
【００７３】
しかし、ここで説明した実施形態では、電気モータ３０は発電機として使用するのにも適している。また、このタイプのモータ／発電機はよく知られているので、詳細に説明されていない。
【００７４】
簡潔にするために、発電機として動作することができる電気モータ３０は、詳細な説明の以下の部分では「モータ／発電機３０」と表される。
【００７５】
モータ／発電機３０が発電機として動作するとき、ガス発生器１２のシャフト１８から多量の回転運動エネルギーを取り出して、それを電気エネルギーに変換する。
【００７６】
その結果、シャフト１８の回転運動エネルギーは減少され、ひいてはガス発生器１２のシャフト１８は、燃料の流量を減少させるだけで減速が行われる従来形態に比べてより急激に減速する。
【００７７】
有利な形では、モータ／発電機３０により生成された電気エネルギーは、好ましくは、蓄電ユニット３２に蓄えられて、モータモードで動作するモータ／発電機３０に電力を供給することで、特に、補助加速時に再利用される。
【００７８】
好ましくは、コンバータおよび電子制御装置が、モータ／発電機３０と蓄電ユニット３２との間の電気エネルギーの交換を制御するように蓄電ユニット３２とモータ／発電機３０との間に配置される。
【００７９】
有利な形では、モータ／発電機３０は、タービンエンジンの始動時に、ガス発生器を始動する（すなわち、モータ／発電機３０を回転駆動する）ためのものである。
【００８０】
要約すると、知られているタービンエンジンと比較して、本発明の第１の実施形態のタービンエンジン１０はさらに、蓄電ユニット３２に電気的に接続され、かつガス発生器１２のシャフト１８に機械的に結合された電気モータ／発電機３０を備える。蓄電ユニット３２は、タービンエンジンの加速時にモータ／発電機に電力を供給してシャフト１８に多量の追加の回転運動エネルギーを提供することができ、またタービンエンジンの減速時にモータ／発電機３０によりガス発生器シャフト１８から取り出された多量の運動エネルギーを電気エネルギーとして蓄えることができる。
【００８１】
図２は、本発明のタービンエンジン１１０の第２の実施形態を示す図である。第１の実施形態の要素と同じ要素は、同じ符番に１００を足したものとする。
【００８２】
この第２の実施形態では、タービンエンジン１１０は、有利には、ガス発生器１１２のシャフト１１８に多量の追加のエネルギーを供給することができる第１の補助電気モータ１３０を含む。
【００８３】
第１の電気モータ１３０は、有利には、ヘリコプタのロータ１４４のシャフト１４２に結合される第１の発電機１４０により電力を供給される。ヘリコプタには、ロータ１４４のシャフト１４２がタービンエンジン１１０のフリータービンのシャフトに結合された状態でタービンエンジン１１０が取り付けられる。
【００８４】
言い換えれば、多量の回転運動エネルギーがロータ１４４から取り出され、第１の発電機１４０を使用して電気エネルギーに変換される。
【００８５】
明らかに、取り出されるエネルギーの量はロータ１４４の回転運動エネルギーよりかなり少なくなるのは確実であるが、ロータの運動エネルギーが高レベルであるため、このことは特に問題にならない。
【００８６】
したがって、本発明では、タービンエンジンの加速段階で、エネルギーがロータ１４４から取り出されてガス発生器１１２のシャフト１１８に送られ、その結果、有利にタービンエンジン１１０の加速度を増加させる。
【００８７】
図２で示されるように、タービンエンジン１１０はさらに、有利にタービンエンジンの減速度を増加させることができる本発明の減速アシスト手段を含む。この減速アシスト手段は、ガス発生器１１２のシャフト１１８に結合された第２の発電機１４６と、ロータ１１４のシャフト１４２に接続される第２の電気モータ１４８とを含む。
【００８８】
減速アシスト手段が作動されると、第２の発電機１４６がガス発生器のシャフト１１８から多量の回転運動エネルギーを取り出して、それを電気エネルギーに変換する。この電気エネルギーは第２の電気モータ１４８に伝達されて、その後、機械エネルギーに変換され、ロータ１４４のシャフト１４２に伝達される。
【００８９】
したがって、本発明では、減速段階でガス発生器のシャフト１１２から取り出されたエネルギーは、有利にロータ１４４内に回転運動エネルギーの形で蓄えられ、タービンエンジンの加速段階で第１の電気モータを作動させるために、有利に再利用可能であることは理解できる。
【００９０】
第１のモータ１３０と第２の発電機１４６とは単一装置、つまり、第１のモータ／発電機１５０を構成するのが好ましく、さらに、第１の発電機１４０と第２のモータ１４８とが単一の電気装置、つまり、第２のモータ／発電機１５２を構成するのが好ましい。これらのモータ／発電機の各々は、発電機として動作することができるモータである。
【００９１】
本発明のタービンエンジン２１０の第３の実施形態について、以下で図３を参照して説明する。
【００９２】
この図面では、図１で示された要素と同一の要素は、同じ符番に２００を足したものとする。
【００９３】
第１の実施形態と同様に、タービンエンジン２１０は、シャフト２１８を備えたガス発生器２１２とシャフト２１６を有するフリータービン２１４とを備える。
【００９４】
本発明によれば、タービンエンジン２１０は、ガス発生器２１２のシャフト２１８に結合された油圧補助モータ２６０を備える。このモータは、タービンエンジンの加速段階でガス発生器２１２のシャフト２１８に多量の回転運動エネルギーを提供するためのものである。
【００９５】
このモータ２６０は、ヘリコプタ内に配置された油圧源により、例えば、フリータービン２１４のシャフト２１６に結合された第１のポンプ２６２または任意の他の蓄電装置、好ましくは油圧アキュムレータ２６１により動力を提供される。
【００９６】
この実施形態では、タービンエンジン２１０はさらに、好ましくは、ガス発生器２１２のシャフト２１８に結合された第２の油圧ポンプを備える減速アシスト手段を含む。この第２のポンプは、タービンエンジン２１０の減速レベルを増大させるように、ガス発生器のシャフト２１８から多量の運動エネルギーを取り出すためのものである。好ましくは、第２の油圧ポンプは、逆モードで動作する、すなわち、ポンプとして動作する油圧モータ２６０により構成される。したがって、油圧ポンプは、油圧式「発電機」に相当することが分かる。このように、取り出されたエネルギーは、油圧ブレーキアキュムレータ２６１内に油圧エネルギーの形で蓄えられる。
【図１】
2010523879.tif 000003
【図２】
2010523879.tif 000004
【図３】
2010523879.tif 000005
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
ガス発生器（１２）とガス発生器により生成されたガス流（Ｆ）により回転駆動されるフリータービン（１４）とを備える航空機のタービンエンジン（１０）であって、タービンエンジンがさらに、蓄電ユニット（３２）に電気的に接続され、かつガス発生器（１２）のシャフト（１８）に機械的に結合された電気モータ／発電機（３０）を含み、蓄電ユニットは、第１に、タービンエンジンの加速段階でモータ／発電機（３０）に電力を供給してシャフト（１８）に多量の追加の回転運動エネルギーを提供し、第２に、タービンエンジンの減速段階でモータ／発電機（３０）によりガス発生器のシャフトから取り出された多量の運動エネルギーを電気エネルギーの形で蓄えることが可能であること、および蓄電ユニット（３２）がさらに、フリータービン（１４）のシャフト（１６）に結合された第１の発電機（３４）により再充電可能であることを特徴とする、タービンエンジン（１０）。
【請求項２】
モータ／発電機（３０）と蓄電ユニット（３２）との間に位置付けられるコンバータおよび電子制御装置をさらに含むことを特徴とする、請求項１に記載のタービンエンジン（１０）。
【請求項３】
蓄電ユニット（３２）が、バッテリ、またはスーパーキャパシタ群、またはその両方の組み合わせであることを特徴とする、請求項１または２に記載のタービンエンジン（１０）。
【請求項４】
モータ／発電機が、タービンエンジンの作動時にガス発生器を作動するためのものであることを特徴とする、請求項１から３のいずれか一項に記載のタービンエンジン（１０）。
【国際調査報告】
2010523879.tif 000006
2010523879.tif 000007
2010523879.tif 000008
2010523879.tif 000009
2010523879.tif 000010
2010523879.tif 000011